(57)【特許請求の範囲】
【請求項１】
遊技盤と、当該遊技盤が装着された枠と、前記遊技盤及び前記枠に設けられた電気部品に電源を供給するための電源回路を搭載して前記枠に取付けられた電源ユニットと、電気部品を搭載した取付対象ユニットと、当該取付対象ユニットを前記枠に対して所定の状態に取付けるための取付装置と、を備えた遊技機であって、
前記取付装置は、前記取付対象ユニットを前記所定の状態に取付けていない状態において、前記電源ユニットに設けられた電源スイッチの操作部を覆うカバー部を備えたことを特徴とする遊技機。
【請求項２】
前記取付対象ユニットが、遊技球を遊技者に対して払い出す払出制御回路を搭載した払出制御ユニットであり、
前記取付装置は、前記払出制御ユニットのケースに設けられた係合片と、前記電源ユニットのケースにスライド可能に設けられて前記係合片と係合状態及び前記係合片と非係合状態に設定可能となった係合溝を有するとともに前記カバー部として機能するスライドレバーと、を備え、
前記係合溝と前記係合片とが前記非係合状態となって前記払出制御ユニットが前記所定の状態に取付けられていない状態において、前記スライドレバーが前記電源スイッチの操作部を覆うように構成されたことを特徴とする請求項１に記載の遊技機。
【発明の詳細な説明】
【技術分野】
【０００１】
本発明は遊技機に関し、特に遊技盤が装着された枠に取付対象のユニットが所定の状態に取付けられていない状態で電源ユニットの電源スイッチが投入されてしまうことを抑制できる構成を備えた遊技機に関する。
【背景技術】
【０００２】
特許文献１に示すように、遊技機の一例としてのパチンコ機は概略、遊技場の島とも呼ばれる設備に固定的に設置される機枠と、機枠に対して開閉自在に軸着された本体枠と、本体枠に対して開閉自在に軸着されたパネル扉とを備える。本体枠には、遊技者の操作により発射される遊技球が流下する領域である遊技領域を有する遊技盤が装着されており、遊技者はパネル扉に設けられた窓部を通して遊技領域を視認することが可能となっている。また、同文献１に示すように、枠及び遊技盤の後側（裏側）には、外部の商用電源の供給により動作し、遊技の進行に必要な多様な制御処理を実行する制御回路等を搭載した複数のユニットがその機能ごとに所定の位置に配設されている。例えば、ユニットとしては、各種制御回路を搭載した基板をケース内に収容して構成された各種制御ユニット、電源回路を搭載した基板をケース内に収容して構成された電源ユニット、コネクタ等の電気部品を搭載した基板をケース内に収容して構成された中継ユニット等がある。
【０００３】
同文献１では、一例として、電源ユニットが本体枠の下方に位置する部品搭載部の後部に固定状態に取付けられ、本体枠に一端側が回転可能に取付けられた払出制御ユニットを当該電源ユニットの後部に重なる所定の状態に取付けるための取付装置を備えた遊技機が開示されている。
【先行技術文献】
【特許文献】
【０００４】
【特許文献１】特開２０１４−１６１５４６号公報
【発明の概要】
【発明が解決しようとする課題】
【０００５】
上述した遊技機においては、制御ユニット等のユニットを交換する場合や、ユニットの所定の取付状態を解除して他の部品を交換する場合等において、ユニットの所定の取付状態を解除して、ユニットや部品の交換が終了した後に、ユニットを再び所定の状態に取付ける必要がある。
しかしながら、作業者が、ユニットや部品の交換終了後に、制御ユニット等のユニットを所定の状態に取付けることを忘れてしまうことがあり、当該ユニットが所定の状態に取付けられていない状態のまま、電源ユニットの電源スイッチが投入されて、遊技が開始されてしまうと、遊技機に不具合が発生する可能性がある。
【０００６】
本願発明は、上記課題を解決すべくなされたものであって、制御ユニット等の取付対象ユニットが所定の状態に取付けられないまま、電源ユニットの電源スイッチが投入されて、遊技が開始されてしまうような事態を抑制できる構成を備えた遊技機を提供する。
【課題を解決するための手段】
【０００７】
上記課題を解決するための構成として、遊技盤と、当該遊技盤が装着された枠と、前記遊技盤及び前記枠に設けられた電気部品に電源を供給するための電源回路を搭載して前記枠に取付けられた電源ユニットと、電気部品を搭載した取付対象ユニットと、当該取付対象ユニットを前記枠に対して所定の状態に取付けるための取付装置と、を備えた遊技機であって、前記取付装置は、前記取付対象ユニットを前記所定の状態に取付けていない状態において、前記電源ユニットに設けられた電源スイッチの操作部を覆うカバー部を備えたことを特徴とする。
また、前記取付対象ユニットが、遊技球を遊技者に対して払い出す払出制御回路を搭載した払出制御ユニットであり、前記取付装置は、前記払出制御ユニットのケースに設けられた係合片と、前記電源ユニットのケースにスライド可能に設けられて前記係合片と係合状態及び前記係合片と非係合状態に設定可能となった係合溝を有するとともに前記カバー部として機能するスライドレバーと、を備え、前記係合溝と前記係合片とが前記非係合状態となって前記払出制御ユニットが前記所定の状態に取付けられていない状態において、前記スライドレバーが前記電源スイッチの操作部を覆うように構成されたことを特徴とする。
なお、上記発明の概要は、本発明の必要な特徴の全てを列挙したものではなく、特徴群を構成する個々の構成もまた発明となり得る。
【発明の効果】
【０００８】
上記各構成によれば、ユニットや部品の交換終了後に、制御ユニット等の取付対象ユニットが所定の状態に取付けられないまま、電源ユニットの電源スイッチが投入されて、遊技が開始されてしまうような事態を抑制できるようになる。
【図面の簡単な説明】
【０００９】
【図１】パチンコ機の概略斜視図。
【図２】遊技盤の正面図。
【図３】電源ユニット及び払出制御ユニットが搭載された本体枠を後方から見た図。
【図４】電源ユニットの斜視図。
【図５】払出制御ユニットの斜視図。
【図６】（ａ）はスライドレバーを後方から見た図、（ａ）はスライドレバーの側面図。
【図７】払出制御ユニットの所定の取付状態を後方から見た拡大図。
【図８】取付装置の係合溝と係合片との係合が解除されてオンオフ操作ボタンがスライドレバーで覆われた状態を後方から見た拡大図。
【図９】払出制御ユニットの所定の取付状態を後方から見た斜視図。
【図１０】取付装置の係合溝と係合片との係合が解除されてオンオフ操作ボタンがスライドレバーで覆われた状態を後方から見た斜視図。
【図１１】パチンコ機の制御ブロック図。
【発明を実施するための形態】
【００１０】
以下、実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。なお、以下の説明においてパチンコ機の各部の左右方向は、そのパチンコ機に対面する遊技者にとっての前後，上下，左右方向に一致させて説明する（各図の矢印参照）。
【００１１】
図１に示すように、遊技機の一例としてのパチンコ機１は遊技場の島設備に設置される縦長方形状の機枠２と、この機枠２の一側部においてヒンジ機構により開閉自在に取付けられた本体枠３と、当該本体枠３内に収容されて搭載された遊技盤３０（図２参照）と、本体枠３の前方において開閉可能に軸着され、中央部に配設されたガラス窓４Ａ及びガラス窓４Ａの下方に設けられた受皿６を有するパネル枠４と、パネル枠４の下部一側部より前方に突設されたハンドルユニット７、及びパネル枠４の上部両側部に配設されたスピーカユニット８を主たる構成として備える。パネル枠４が本体枠３側に閉じられた状態において、パチンコ機１の前方に着座する遊技者からは、パネル枠４に配設されたガラス窓４Ａを介して本体枠３内に収容された遊技盤３０の遊技領域３０Ａ（図２参照）を視認することが可能である。
【００１２】
受皿６の中央部には、遊技者の任意によって操作可能な操作手段としての操作機構９が配設される。操作機構９は、遊技者による押下操作が可能な円形のプッシュボタン９Ａと、当該プッシュボタン９Ａの周囲において遊技者による回動操作が可能なダイアル９Ｂとにより構成される。操作機構９は、後述する演出制御回路２７０（図１１参照）と接続されており、プッシュボタン９Ａ、及びダイアル９Ｂから出力される信号は、演出制御回路２７０側に入力する。受皿６には、この他、球貸ボタンや返却ボタン等が配設されており、これらのボタン操作によって図外のＣＲユニットに投入されたＩＣカード等の記録媒体に記録された貸し球可能数に対応する遊技球の貸し出し動作、或いは記録媒体の返却動作が実行される。
【００１３】
［遊技盤の構成について］
本体枠３内に収容される遊技盤３０は、図２に示すように、前面が遊技盤３０の盤面３０Ｆを形成する盤面構成体３１と、演出表示装置１００と、入賞装置、表示装置、発光体、釘２４、風車２５、アウト口６９等の遊技部品とを備える。
【００１４】
盤面構成体３１の中央部には、遊技者が演出表示装置１００の演出表示画面１０５を盤面構成体３１の前方から目視可能とするための表示孔３１Ｈが形成されている。
演出表示装置１００は、盤面３０Ｆ（盤面構成体３１Ａの前面）よりも後側に設けられる。当該演出表示装置１００は、演出表示画面１０５が盤面構成体３１Ａに形成された表示孔３１Ｈの後方に位置されるように、盤面構成体３１Ａの後方に設けられた図外の取付体に取付けられていることによって、遊技者が表示孔３１Ｈを通して、演出表示画面１０５を目視可能となっている。
盤面構成体３１は、表示孔３１Ｈの開口の面積と盤面３０Ｆの面積との比が例えば１:１程度となるように形成されている。
【００１５】
尚、盤面構成体３１の盤面３０Ｆ側における表示孔３１Ｈの周囲には、前側遊技部品の１つである遊技球誘導壁部３５が前方に向けて突設されている。遊技球誘導壁部３５は、盤面構成体３１の盤面３０Ｆ側における表示孔３１Ｈの上側開口縁、及び左右両側の開口縁を略円形状に取り囲むように延在する壁部である。上述のガラス窓４Ａが閉じられた場合において、遊技球誘導壁部３５の前端部とガラス窓４Ａとは、遊技球の直径未満で接近し、遊技球誘導壁部３５で囲まれた内側に遊技球が進入することは不可能とされる。
また、表示孔３１Ｈの上側開口縁の下に位置されるように、表示孔３１Ｈの上側開口縁を取り囲む遊技球誘導壁部３５には光飾装置７０が取付けられている。
【００１６】
遊技盤３０には、遊技盤３０の盤面３０Ｆと、遊技球誘導壁部３５と、外ガイド部２７及び内ガイド部２８とによって区画された遊技領域３０Ａが形成される。遊技領域３０Ａは、遊技盤３０の盤面３０Ｆとガラス窓４Ａの後面との間に形成された遊技球の流下可能な空間である。また、遊技盤３０の盤面３０Ｆには、多数の釘２４や風車２５が稙設されており、遊技者のハンドルユニット７の操作に応じて駆動する図外の発射機構により発射され、遊技領域３０Ａ内に到達した遊技球は、多数の釘２４や風車２５によって不規則に誘導されつつ遊技領域３０Ａ内を流下する。
【００１７】
また、本実施形態において遊技領域３０Ａは、図２に示すように、概ね左打ち領域ＥＬと右打ち領域ＥＲとに区分けされている。左打ち領域ＥＬは、遊技盤３０の左右中心線ＣＬよりも左側の領域であり、当該左打ち領域ＥＬに到達した遊技球は遊技領域３０Ａ内を流下する。
一方、右打ち領域ＥＲは、遊技領域３０Ａの左右中心線ＣＬよりも右側の領域であり、当該右打ち領域ＥＲに到達した遊技球は、遊技球の直径よりも僅かに広く、２個以上の遊技球が流下不能な右打ち通路３６を通って遊技領域３０Ａ内を１個ずつ流下する。
【００１８】
遊技盤３０の遊技領域３０Ａ内には、入賞装置としての、第１始動部品５０、第２始動部品５２、大入賞装置６０、一般入賞部品６６等が配設されており、これらの入賞装置に遊技球が入球すると、各入賞部品等に対応した所定数の賞球が受皿６に払出される。
また、遊技球が第１始動部品５０、又は第２始動部品５２に入球すると、上記賞球の払出しの他、大入賞装置６０を開放動作させ、遊技者にとって有利な状態を醸成する特別遊技の可否に関する抽選（特図当否抽選）や、当該特別遊技の態様を決定する抽選を始めとする各種の抽選が主制御回路２４０（図１１参照）により実行される。即ち、第１始動部品５０、又は第２始動部品５２への遊技球の入球は、上記各種の抽選を受ける契機となるものである。
【００１９】
以下、各入賞装置の構成について説明する。
第１始動部品５０は、遊技領域３０Ａの左右方向略中央において、上記表示孔３１Ｈの下側開口縁に沿って設けられたステージ４７の下方に配設される。第１始動部品５０は、遊技盤３０の盤面３０Ｆより前方に突出し、上方が開口した入賞部と、第１始動口検出スイッチＳＷ１（図１１参照）とを備え、入賞部の上方開口（第１始動口）より内部に取り込まれた遊技球は、内部に配設された第１始動口検出スイッチＳＷ１によって検出される。
【００２０】
図１１に示すように、第１始動口検出スイッチＳＷ１は、主制御回路２４０と接続されており、主制御回路２４０は第１始動口検出スイッチＳＷ１からの検出信号に基づいて前述した各種の抽選処理や、賞球を例えば３個払い出す賞球払出処理を実行する。なお、本例において第１始動部品５０の位置は、上述の左打ち領域ＥＬを流下する遊技球のみが入球し得る位置に設定されている。
【００２１】
第２始動部品５２は、例えば前述の第１始動部品５０よりも下方に配設される。第２始動部品５２は、遊技盤３０の盤面３０Ｆより前方に突出し、上方が開口した入賞部５２Ａと、第２始動口検出スイッチＳＷ２（図１１参照）と、入賞部５２Ａの左右において開閉動作可能に設けられた開閉体５３とを備える。入賞部５２Ａ内に入球した遊技球は、内部に配設された第２始動口検出スイッチＳＷ２により検出される。
図１１に示すように、第２始動口検出スイッチＳＷ２は主制御回路２４０と接続されており、主制御回路２４０は第２始動口検出スイッチＳＷ２からの検出信号に基づいて前述した各種の抽選処理や、賞球を例えば３個払い出す賞球払出処理を実行する。
【００２２】
開閉体５３は、盤面構成体３１の後面側に配設されたソレノイドＳＯＬ１（図１１参照）の駆動によって閉鎖状態と開放状態とを取り得る羽根状部材であり、開閉体５３が開放動作中である場合に限って遊技球は第２始動部品５２の入賞部５２Ａに入球可能となる。
【００２３】
右打ち領域ＥＲには、通過ゲート５８が配設される。通過ゲート５８は、上下が開放した門型の遊技部品であって、その内部にはゲート検出スイッチＳＷ３（図１１参照）が格納されている。通過ゲート５８を通過した遊技球は、ゲート検出スイッチＳＷ３によって検出される。主制御回路２４０は、ゲート検出スイッチＳＷ３からの検出信号の入力を契機として前述の開閉体５３の開放の可否に関する各種の抽選を実行する。
【００２４】
次に、大入賞装置６０について概説する。図２に示すように、大入賞装置６０は、右打ち領域ＥＲの下方に配設される入賞装置である。同図の破線に示すように、大入賞装置６０は、上方開放の入球口として形成された大入賞口６０Ａと、当該大入賞口６０Ａを閉鎖状態又は開放状態とする開閉体６５とを備える。開閉体６５は、ソレノイドＳＯＬ２（図１１参照）の駆動によって遊技盤３０の前後方向に開閉動作する部材である。開閉体６５が前方に突出して大入賞口６０Ａを閉鎖した状態において、遊技球は大入賞口６０Ａ内に入球することなく遊技領域３０Ａの下流に流下する。一方、後述の特別遊技が実行され、開閉体６５が後方に没入して大入賞口６０Ａを開放した状態において、遊技球は大入賞口６０Ａ内に入球し、内部に配設された大入賞口検出スイッチＳＷ４（図１１参照）によって検出された後、機外に排出される。大入賞口検出スイッチＳＷ４は、主制御回路２４０と接続されており、主制御回路２４０側では、当該大入賞口検出スイッチＳＷ４からの検出信号の入力に基づいて賞球を例えば１５個払い出す賞球払出処理を実行する。上記構成からなる大入賞装置６０の位置は、右打ち領域ＥＲに打ち出された遊技球のみが入球し得る位置とされており、遊技球が右打ち領域ＥＲを流下し、かつ、特別遊技中において開閉体６５が開放動作中である場合に限って大入賞口６０Ａへの入球が可能となる。
【００２５】
一般入賞部品６６は、遊技盤３０の左下側部に配設された部材であって、上方開口の複数の一般入賞口６６ａと、一般入賞口検出スイッチＳＷ５（図１１参照）とを備えており一般入賞口６６ａから入球した遊技球は、内部に収容された一般入賞口検出スイッチＳＷ５により検出される。当該一般入賞口検出スイッチＳＷ５は主制御回路２４０と接続されており、主制御回路２４０は一般入賞口検出スイッチＳＷ５からの検出信号に応じて賞球を例えば３個払い出す賞球払出処理を実行する。また、上述した各入賞装置のいずれにも入球しなかった遊技球は、アウト口６９に入球し、当該アウト口６９と連通する図外の排出通路を介して機外に排出される。
【００２６】
演出表示装置１００は、例えば液晶表示画面等の演出表示画面１０５を備え、当該演出表示画面１０５に１〜８までの数字、及び特定のキャラクター等からなる演出図柄を変動表示可能な液晶表示装置である。
演出表示装置１００の演出表示画面１０５には、演出図柄の他、演出図柄の変動表示に伴って予告演出やリーチ演出とも呼ばれる画像や動画によって表現される多様な変動演出が表示され、遊技者は一般に、演出表示画面１０５上に表示される変動表示、及び変動演出を視認しながら遊技を楽しむこととなる。
【００２７】
図３に示すように、遊技盤３０を搭載する枠としての本体枠３は、遊技盤３０を収容可能な矩形状の開口部を形成する枠部３Ａと、枠部３Ａの下方に位置する部品搭載部３Ｂとを有する。
【００２８】
枠部３Ａは、下枠３ａ、左枠３ｂ、右枠３ｃ及び上枠３ｄとから構成される額縁状である。下枠３ａの上面には、遊技盤３０の下面と当接し、遊技盤３０収容時の後方への押し込みを容易とする複数の図外のガイドリブや、遊技盤３０が収容された状態において遊技盤３０に形成されたアウト口６９と対応する図外の排出誘導体等が上方に向けて突設されている。
【００２９】
左枠３ｂの後部には、当該左枠３ｂの上下方向に沿って後方に突設され、上枠３ｄの後面に配設された球補給タンク８０から供給される遊技球を遊技者に対して払い出す払出ユニット８１が搭載される。当該払出ユニット８１は、前後方向に蛇行しつつ上下方向に延在する図外の内部通路と、払出モータ２５２（図１１参照）の駆動により回転し、内部通路内において遊技球を所定回転角ごとに分離して払い出すスプロケットや、当該スプロケットにより払い出される遊技球を検出する計数センサ等の払出機構とを有しており、当該払出ユニット８１による払出動作は、払出制御回路２５０（図１１参照）の処理により実行される。
【００３０】
本体枠３の部品搭載部３Ｂは、下枠３ａの下方において広がる横長矩形状の盤状領域であって、その前面に、図外の発射機構を搭載するための取付部等が設けられる。
【００３１】
図３に示すように、本体枠３の部品搭載部３Ｂの後側には、電源ユニット３００、払出制御ユニット４００等のユニットが搭載される。
【００３２】
図４に示すように、電源ユニット３００は、電源回路を構成する電気部品や、電源スイッチ、配線コネクタ等の図外の部品と、これら部品が搭載された図外の電源基板と、ケース３０１とを備える。
【００３３】
電源ユニット３００のケース３０１は、ケース３０１の前面が部品搭載部３Ｂの後部に接触して本体枠３の左右方向に長く延長した状態で、部品搭載部３Ｂの後部に図外の固定手段で固定された取付状態となる。例えば、電源ユニット３００のケース３０１は、電源基板が収容されて固定される収容部を有した直方体形状に形成されており、右端（一方の短辺）３０２側が右枠３ｃと平行な回転中心軸、又は、左端（他方の短辺）３０３側が左枠３ｂと平行な回転中心軸となって、当該回転中心軸（例えばヒンジによる回転中心軸あるいは差し込みによる回転中心軸）を介して回転可能に構成されていて、ケース３０１の前面が部品搭載部３Ｂの後部に接触して本体枠３の左右方向に長く延長した状態となるように回転させた状態で部品搭載部３Ｂの後部に図外の固定手段で固定されたり、あるいは、回転可能に構成されておらずに、ケース３０１の前面が部品搭載部３Ｂの後部に接触して本体枠３の左右方向に長く延長した状態で部品搭載部３Ｂの後部に図外の固定手段で固定される。
電源ユニット３００のケース３０１の右端３０２側の後面には、後述の上係合片４０５と係合する上係合溝３８７及び下係合片４０６と係合する下係合溝３９５を有したスライドレバー３７０が設けられている（図６参照）。
【００３４】
図５に示すように、払出制御ユニット４００は、後述の取付装置５００により所定の状態に取付けられる取付対象ユニットであり、当該払出制御ユニット４００は、払出制御回路２５０を構成する電気部品や、配線コネクタ等の図外の部品と、これら部品が搭載された図外の払出基板と、ケース４０１とを備えて構成される。
【００３５】
払出制御ユニット４００のケース４０１は、払出基板が収容されて固定される収容部を有した直方体形状に形成されており、左端４０２（一方の短辺）が左枠３ｂと平行な回転中心軸となって、当該回転中心軸（例えば差し込みによる回転中心軸あるいはヒンジによる回転中心軸）を介して回転可能に構成されていて、ケース３０１の前面が部品搭載部３Ｂの後部に接触して本体枠３の左右方向に長く延長した状態となるように回転させた取付可能状態において後述する取付装置５００により電源ユニット３００に所定の状態に取付けられるようになっている。
払出制御ユニット４００のケース４０１の右端４０３（他方の短辺）側には、当該右端４０３の端面より突出する上係合片４０５及び下係合片４０６が設けられている。
【００３６】
実施形態では、遊技盤３０が収容される本体枠３の部品搭載部３Ｂに取付けられた電源ユニット３００のケース３０１に払出制御ユニット４００のケース４０１を所定の状態に取付けるための取付装置５００（図７参照）を備える。当該取付装置５００は、払出制御ユニット４００のケース４０１に設けられた係合片（上係合片４０５及び下係合片４０６（図５；図８；図１０参照））と、電源ユニット３００のケース３０１にスライド可能に設けられて係合片と係合状態（図７；図９参照）及び非係合状態（図８；図１０参照）に設定可能となった係合溝（上係合溝３８７及び下係合溝３９５（図６参照））を有したスライドレバー３７０（図６参照）とを備えた構成とし、スライドレバー３７０が非係合状態になった場合、即ち、取付装置５００によって払出制御ユニット４００のケース４０１が電源ユニット３００のケース３０１に取付けられていない非取付状態にあっては、スライドレバー３７０が電源ユニット３００に設けられた電源スイッチの操作部としてのオンオフ操作ボタン３０８を後方から覆うように構成されている。これにより、非取付状態ではオンオフ操作ボタン３０８を操作し難い状態となるため、取付装置５００によって払出制御ユニット４００のケース４０１が電源ユニット３００のケース３０１に所定の状態に取付けられていないことを作業者に気付かせることができ、払出制御ユニット４００の取付け忘れを防ぐことができるようになる。よって、払出制御ユニット４００が所定の状態に取付けられないまま、電源ユニット３００の電源スイッチが投入されて、遊技が開始されてしまうような事態を抑制できるようになる。
【００３７】
図４に示すように、ケース３０１の右端３０２側における後面は、上下方向の中央側の後面３０４、上側の後面３０５及び下側の後面３０６に形成され、中央側の後面３０４が上側の後面３０５及び下側の後面３０６よりも後方に位置するように形成されている。
中央側の後面３０４には、スライドレール３５０が上下方向に延長するように形成されており、当該スライドレール３５０にスライドレバー３７０が上下方向に移動自在となるように取付けられている（図７；図８参照）。
中央側の後面３０４よりも前方に位置する上側の後面３０５には、開口３０７が形成されており、当該開口３０７を介して電源スイッチのオンオフ操作ボタン３０８が上側の後面３０５よりも後方側に突出するように構成されている。
即ち、電源スイッチのオンオフ操作ボタン３０８が上下方向の中央側の後面３０４よりも前方に位置し、スライドレバー３７０がオンオフ操作ボタン３０８の後方の位置まで移動可能なように構成されている。
従って、スライドレバー３７０がオンオフ操作ボタン３０８の後方の位置まで移動した場合に、スライドレバー３７０がオンオフ操作ボタン３０８を後方から覆うような状態となる（図８；図１０参照）。
【００３８】
図６に示すように、スライドレバー３７０は、長方形板状のスライド基板３７１と、スライド基板３７１の後面（一方の板面）３７２より突出するように設けられた規制体と、スライド基板３７１の左右側（両方の長辺側）に設けられた係合体とを備えた構成である。
規制体としては、スライド基板３７１の上側（長手方向一端側）に設けられた上側規制体３７３と、スライド基板３７１の下側（長手方向他端側）に設けられた下側規制体３７４とを備える。
係合体としては、スライド基板３７１の右側（一方の長辺側）に設けられた右側係合体３７５と、スライド基板３７１の左側（他方の長辺側）に設けられた左側側係合体３７６と、スライド基板３７１の下側（長手方向他端側）においてスライド基板３７１の前面（他方の板面）３７７より突出するように設けられた前側下係合体３７８とを備える。
【００３９】
図６に示すように、スライドレール３５０は、スライド基板３７１の右長辺側をガイドする右側スライドレール３５１と、スライド基板３７１の左長辺側をガイドする左側スライドレール３５２とを備える。
【００４０】
スライドレバー３７０の上側規制体３７３は、スライド基板３７１を貫通するように形成された四角形状の貫通孔３８０の上縁側の後面３７２から貫通孔３８０の上縁に沿って突出する上壁３８１と、貫通孔３８０の右縁側の後面３７２から貫通孔３８０の右縁に沿って突出する右壁３８２と、上壁３８１及び右壁３８２より延長して貫通孔３８０と対向する後壁３８３と、後壁３８３より延長する下壁３８４及び左壁３８５とを具備した構成である。そして、下壁３８４とスライド基板３７１の後面３７２との間が開口された上係合片挿入口３８６に形成されるとともに、左壁３８５とスライド基板３７１の後面３７２との間が開口されて上係合片挿入口３８６と連続する上係合溝３８７に形成されて、払出制御ユニット４００のケース４０１に設けられた上係合片４０５が上係合片挿入口３８６を介して上係合溝３８７に挿入されて当該上係合溝３８７に係合する（図７参照）。
【００４１】
スライドレバー３７０の下側規制体３７４は、スライド基板３７１を貫通するように形成された四角形状の貫通孔３９０の上縁側の後面３７２から上縁に沿って突出する上壁３９１と、貫通孔３９０の上縁側の後面３７２から上縁に沿って突出する右壁３９２と、上壁３９１及び右壁３９２より延長して貫通孔３９０と対向する後壁３９３とを具備した構成である。そして、後壁３９３の下端縁とスライド基板３７１の後面３７２との間が開口された下係合片挿入口３９４に形成されるとともに、後壁３９３の左端縁とスライド基板３７１の後面３７２との間が開口されて下係合片挿入口３９４と連続する下係合溝３９５に形成されて、後述する下係合片４０６が下係合片挿入口３９４を介して下係合溝３９５に挿入されて当該下係合溝３９５に係合する（図７参照）。
【００４２】
スライドレバー３７０の右側係合体３７５は、スライド基板３７１の右側端面３２０側における上下方向の中央部において当該右側端面３２０に沿って延長するように形成された貫通孔３２１と、右側端面３２０と貫通孔３２１との間で形成された弾性板部３２２と、弾性板部３２２の右側端面３２０より右側スライドレール３５１側に突出する凸部３２３とを備えた構成である。凸部３２３は例えば円弧状凸部に形成される。尚、貫通孔３２１は、上下側が左右方向に幅広に形成されて上下方向の中央側が左右方向に幅狭に形成され、かつ、凸部３２３と対応する部分が凸部３２３に沿った形状に形成されていることにより、弾性板部３２２の凸部３２３部分が左右方向に変形しやすいように構成されている。
【００４３】
スライドレバー３７０の左側係合体３７６は、スライド基板３７１の左側端面３２５側における上下方向の中央部において当該左側端面３２５に沿って延長するように形成された貫通孔３２６と、左側端面３２５と貫通孔３２６との間で形成された弾性板部３２７と、弾性板部３２７の左側端面３２５より左側スライドレール３５２側に突出する凸部３２８とにより構成される。凸部３２８は例えば三角形状凸部に形成される。尚、貫通孔３２６は、上下側が左右方向に幅広に形成されて上下方向の中央側が左右方向に幅狭に形成され、かつ、凸部３２８と対応する部分が凸部３２８に沿った形状に形成されていることにより、弾性板部３２７の凸部３２８部分が左右方向に変形しやすいように構成されている。
【００４４】
スライドレール３５０の右側スライドレール３５１は、スライド基板３７１の右側端面３２０と対向する右側対向壁面３５３と、スライド基板３７１の右側端面３２０側の後面３７２と対向する対向規制板３５４（図８参照）と、スライド基板３７１の右側端面３２０側の前面３７７と対向する対向規制板３５５（図８参照）と、右側対向壁面３５３より前方に延長する壁面３５６から突出してスライド基板３７１の前面３７７と対向する対向板３５７（図６（ｂ）参照）と、対向板３５７より後方側に突出するように形成されて前側下係合体３７８に係合するスライドレバー上昇規制ストッパー３７９とを備える。
【００４５】
右側対向壁面３５３には、右側係合体３７５と係合する上側係合部３５８及び下側係合部３５９が設けられる。
上側係合部３５８及び下側係合部３５９は、右側対向壁面３５３からスライド基板３７１の右側端面３２０側に向けて突出する２つの凸部３６０，３６０と、２つの凸部３６０，３６０との間の係合凹部３６１とを備えて構成される。
【００４６】
スライドレール３５０の左側スライドレール３５２は、スライド基板３７１の左側端面３２５と対向する左側対向壁面３６２と、スライド基板３７１の後面３７２と対向する対向規制板３５４（図８参照）と、スライド基板３７１の前面３７７と対向する対向規制板３５５（図８参照）とを備える。
【００４７】
左側対向壁面３６２は、右側スライドレール３５１の右側対向壁面３５３と対向間距離が異なる上壁面３６３及び下壁面３６４と、上壁面３６３と下壁面３６４との境界となる段差面３６５と、境界近傍の上壁面３６３より突出する凸部３６６と、段差面３６５と凸部３６６との間で形成された係合凹部３６７とを備えた構成である。段差面３６５は例えば水平面に形成される。
【００４８】
右側スライドレール３５１の右側対向壁面３５３と左側スライドレール３５２の左側対向壁面３６２における上壁面３６３との間の対向間距離Ａは、スライドレバー３７０の右側係合体３７５の凸部３６０の先端と左側係合体３７６の凸部３２８の先端との間の距離と対応した寸法に形成されている。また、右側スライドレール３５１の右側対向壁面３５３と左側スライドレール３５２の左側対向壁面３６２における下壁面３６４との間の対向間距離は、前記対向間距離Ａから凸部３２８の突出長さを引いた距離に対応した寸法に形成されている。
【００４９】
従って、左側係合体３７６の凸部３２８の先端が左側スライドレール３５２の上壁面３６３上を上下方向に移動することでスライドレバー３７０が上下方向に移動し、スライドレバー３７０が上から下に移動する際に、凸部３２８が凸部３６６を乗り越えて係合凹部３６７に係合して、かつ、凸部３２８の下方への移動が段差面３６５により規制されるとともに、スライドレバー３７０の右側係合体３７５の凸部３２３が下側係合部３５９の凸部３６０を乗り越えて係合凹部３６１に係合することで、スライドレバー３７０が下位置にロックされた状態となる。
【００５０】
また、スライドレバー３７０が下位置にロックされた状態から上方に移動する際は、スライドレバー３７０の左側係合体３７６の凸部３２８が左側スライドレール３５２の凸部３６６を乗り越えるとともに、スライドレバー３７０の右側係合体３７５の凸部３２３が左側スライドレール３５２の下側係合部３５９の凸部３６０を乗り越えて、スライドレバー３７０が上方に移動し、そして、スライドレバー３７０の右側係合体３７５の凸部３２３が上側係合部３５８の凸部３６０を乗り越えて係合凹部３６１に係合することで、スライドレバー３７０が上位置にロックされた状態となる。また、スライドレバー３７０が上位置にロックされた状態において、前側下係合体３７８がスライドレバー上昇規制ストッパー３７９に衝突して、スライドレバー３７０の上方向への移動が規制される（図６の想像線で示した前側下係合体３７８を参照）。
【００５１】
従って、電源ユニット３００が部品搭載部３Ｂの後部に固定状態に取付けられ、払出制御ユニット４００を回転させて払出制御ユニット４００のケース４０１の前部を電源ユニット３００のケース３０１の後部に接触させた取付可能状態とした後に、電源ユニット３００のスライドレバー３７０を下方に移動させることにより、上係合片４０５がスライドレバー３７０の上係合片挿入口３８６を介して上係合溝３８７に挿入されて当該上係合溝３８７に係合するとともに、下係合片４０６がスライドレバー３７０の下係合片挿入口３９４を介して下係合溝３９５に挿入されて当該下係合溝３９５に係合することで、払出制御ユニット４００の回転中心軸を介した当該払出制御ユニット４００の後方への回転が規制されて払出制御ユニット４００が電源ユニット３００に所定の状態に取付けられる。即ち、電源ユニット３００のケース３０１と払出制御ユニット４００のケース４０１とが、取付装置５００の係合溝（上係合溝３８７及び下係合溝３９５）と係合片（上係合片４０５及び下係合片４０６）との係合（ロック）によって結合された所定の取付状態となって、当該所定の取付状態が維持されることになる。
【００５２】
また、払出制御ユニット４００を交換する場合や、払出制御ユニット４００の所定の取付状態を解除して他の部品を交換する場合等においては、払出制御ユニット４００が取付装置５００によって電源ユニット３００に取付けられている状態から、スライドレバー３７０を上方に移動させて、上係合片４０５と上係合溝３８７との係合、下係合片４０６と下係合溝３９５との係合を解除することにより、払出制御ユニット４００の回転中心軸を介した当該払出制御ユニット４００の回転が許容され、払出制御ユニット４００が取り外し可能状態となる。
【００５３】
実施形態においては、払出制御ユニット４００を交換する場合や、払出制御ユニット４００の所定の取付状態を解除して他の部品を交換する場合等、スライドレバー３７０を上方に移動することにより上下の係合溝３８７，３９５と上下の係合片４０５，４０６との係合が解除されてスライドレバー３７０が上位置にロックされた状態において、スライドレバー３７０のカバー部としての上部規制体３７３が、電源スイッチの操作部としてのオンオフ操作ボタン３０８の後方に位置されて、後方から見た場合、オンオフ操作ボタン３０８を覆い隠す状態になるように構成されているため、作業者がオンオフ操作ボタン３０８を操作し難い状態となるので、作業者は、払出制御ユニット４００が取付けられていないことに気付きやすくなるため、払出制御ユニット４００の取り付け忘れをを防止できるようになる。言い換えれば、スライドレバー３７０の上部規制体３７３が、電源スイッチのオンオフ操作ボタン３０８の後方に位置されて、オンオフ操作ボタン３０８を覆い隠す状態になるように構成されているので、作業者に払出制御ユニット４００の取り付け忘れを知らせることができるようになる。
従って、払出制御ユニット４００の取付けを忘れたまま、電源スイッチが投入されて、遊技が開始されてしまうような事態を抑制でき、払出制御ユニット４００の取付けを忘れたまま、遊技が開始されてしまうことに伴う不具合の発生を防止できるようになる。
【００５４】
［パチンコ機の内部構成について］
図１１は、パチンコ機１の制御を担う制御手段の構成を示すブロック図である。同図に示すように、パチンコ機１は、主として遊技全般に係る基本動作を制御する主制御回路２４０と、主として賞球の払出動作を制御する払出制御回路２５０と、主として遊技球の発射を制御する発射制御回路２６０と、演出表示装置１００、スピーカユニット８、ＬＥＤ等の発光体５７、図外の役物装置等を制御する演出制御回路２７０とを備える。
【００５５】
主制御回路２４０は、（メイン）ＣＰＵ２４０ａ、（メイン）ＲＯＭ２４０ｂ、及び（メイン）ＲＡＭ２４０ｃを備えてなり、ＣＰＵ２４０ａが、各検出スイッチやタイマからの入力に対応してＲＯＭ２４０ｂに予め格納されたプログラムを読み出して、当該プログラムに従った演算処理を行い、主制御回路２４０に接続された上述の各ソレノイドＳＯＬ１〜ＳＯＬ２や、遊技盤３０の遊技領域３０Ａの外方に配設された第１特別図柄表示装置３５Ａ、第２特別図柄表示装置３５Ｂ、第１特別図柄保留表示装置３６Ａ、第２特別図柄保留表示装置３６Ｂ、普通図柄表示装置３７、及び普通図柄保留表示装置３８といった各表示装置（図２，図１１参照）を直接的に制御したり、他の制御回路に多様なコマンドを送信する。また、このときＲＡＭ２４０ｃは、ＣＰＵ２４０ａの演算処理時におけるワークエリアとして機能し、演算に必要な各種のデータや、コマンドを一時的に保持する。
【００５６】
主制御回路２４０には、払出制御回路２５０、及び演出制御回路２７０が接続されている。払出制御回路２５０は、主制御回路２４０と同様に不図示のＣＰＵ、ＲＯＭ、ＲＡＭを備えたマイクロコンピュータであって、主制御回路２４０と一方向通信可能に接続されている。当該払出制御回路２５０には、外部情報出力端子板２５１が接続されている。外部情報出力端子板２５１は、主制御回路２４０（ＣＰＵ２４０ａ）及び払出制御回路２５０（払出ＣＰＵ）から出力された遊技の進行に関する種々の情報をパチンコ機１の設置店等に設けられたホストコンピュータ側に送信する。
【００５７】
また、払出制御回路２５０には、遊技者に対して賞球を払い出すための払出モータ２５２、及び賞球数計数スイッチ２５３が接続されている。払出制御回路２５０は、主制御回路２４０から送信される払出コマンドに含まれる賞球数情報に基づいて所定の賞球数が払い出されるように払出モータ２５２を制御する。当該払出モータ２５２の駆動により払い出された賞球は、賞球数計数スイッチ２５３により検出され、払出制御回路２５０側において、適正な賞球数が払い出されたかが把握される。なお、払出制御回路２５０には、この他、受皿６に許容数以上の遊技球が貯留されていることを検知する皿満タン検出スイッチや、本体枠３の扉が開放していることを検知する扉開放検出スイッチ等の各種のスイッチが接続される。
【００５８】
発射制御回路２６０には、ハンドルユニット７内に搭載されたタッチセンサ２６１、発射ボリューム２６２、図外の発射機構内に受皿６に貯留された遊技球を送り込む球送りモータ２６３、及び発射機構内に格納された球発射モータ２６４が接続されており、発射制御回路２６０は、払出制御回路２５０からの発射許可およびタッチセンサ２６１からの入力を条件として、遊技者によるハンドルユニット７の操作量に応じて変化する発射ボリューム２６２からの入力信号に基づいて球発射モータ２６４を制御し、受皿６に貯留された遊技球を所定の発射力により遊技領域３０Ａ内に打ち出す。
【００５９】
演出制御回路２７０は、遊技進行中や待機中における各種の演出を制御する。
演出制御回路２７０は、（サブ）ＣＰＵ２７０ａ、（サブ）ＲＯＭ２７０ｂ、（サブ）ＲＡＭ２７０ｃを備えてなり、主制御回路２４０に対して、主制御回路２４０から演出制御回路２７０に対してのみ通信（一方向通信）が可能なように接続されている。当該演出制御回路２７０は、主制御回路２４０から送信される演出に関する各種のコマンドや内部タイマからの入力信号に基づいて、ＲＯＭ２７０ｂに予め格納されたプログラムを読み出して、当該プログラムに従った演算処理を行い、演出制御回路２７０に接続された演出表示装置１００の制御、及び、図外の役物装置の可動体演出制御、遊技進行中における楽曲や効果音などの音声をスピーカユニット８から出力させる音声出力制御や、光飾装置７０、遊技盤３０及びパネル枠４等の各所に配設されたＬＥＤ等の発光体５７を多様なパターンにより発光させる発光制御を実行する。このときＲＡＭ２７０ｃは、ＣＰＵ２７０ａの演算処理時におけるワークエリアとして機能し、演算に必要な各種のデータや、コマンド等を一時的に保持する。
【００６０】
また、演出制御回路２７０は、ＣＰＵ２７０ａと接続され、当該ＣＰＵ２７０ａより送信される画像表示に係る各種のコマンドを受信して演出表示画面１０５に多様な画像を表示するためのＶＤＰ、及び上記画像表示処理中に必要な各種のデータ等を一時的に保存するＶＲＡＭ、音声制御のための音声合成ＬＳＩ等、各種制御に必要なハードウェアを備えている。また、演出制御回路２７０には、遊技者の任意に操作可能な前述の操作機構９が接続されており、例えば当該操作機構９の操作タイミングに合せて前述の各制御を実行し、操作機構９の操作タイミングに従った所定の演出を表現することが可能である。
【００６１】
以下、上記構成からなるパチンコ機１の遊技の流れについて概説する。
遊技者のハンドルユニット７の操作により遊技領域３０Ａ内を流下する遊技球が前述の第１始動部品５０又は第２始動部品５２に入球すると、主制御回路２４０では特別遊技（所謂大当り遊技）の実行可否に関する特図当否抽選、特別図柄の種類を決定する抽選、特別図柄の変動パターンを決定する抽選等の種々の抽選を実行する。
そして、上記抽選のうち、特図当否抽選の結果が「当り」である場合には、前述の大入賞装置６０を開放動作させ、遊技球の入球を容易とする特別遊技が実行される。
【００６２】
尚、実施形態では、電源ユニット３００のケース３０１にスライドレール３５０及びスライドレバー３７０を設けた例を示したが、例えば、本体枠３に取付けられた図外の支持板にスライドレールを設け、当該スライドレールにスライドレバーを設けた構成とし、当該スライドレバーの係合溝を払出制御ユニット４００の係合片に係合させる取付装置を備えた構成とすることで、取付対象ユニットとしての払出制御ユニット４００を遊技盤３０を搭載する枠としての本体枠３に対して所定の状態に取付ける構成とし、かつ、払出制御ユニット４００が前記所定の状態に取付けられていない状態において、スライドレールの一部が、電源ユニット３００に設けられた電源スイッチの操作部としてのオンオフ操作ボタン３０８を覆うカバー部として機能するように構成してもよい。このように構成しても、払出制御ユニット４００や部品の交換終了後に、払出制御ユニット４００が所定の状態に取付けられないまま、電源ユニット３００の電源スイッチが投入されて、遊技が開始されてしまうような事態を抑制できるようになり、払出制御ユニット４００の取付けを忘れたまま、遊技が開始されてしまうことに伴う不具合の発生を防止できるようになる。
【００６３】
また、実施形態では、取付装置５００によって電源ユニット３００のケース３０１に所定の状態に取付けられる取付対象のユニットが払出制御ユニット４００である例を示したが、取付装置５００によって電源ユニット３００のケース３０１に所定の状態に取付けられる取付対象ユニットは、払出制御ユニット４００以外の制御ユニット、あるいは、中継ユニット等であってもよい。このようにした場合であっても、取付対象ユニットや部品の交換終了後に、取付対象ユニットが所定の状態に取付けられないまま、電源ユニット３００の電源スイッチが投入されて、遊技が開始されてしまうような事態を抑制できるようになり、取付対象ユニットの取付けを忘れたまま、遊技が開始されてしまうことに伴う不具合の発生を防止できるようになる。
【００６４】
以上、本発明を実施の形態に基づいて説明したが、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
【符号の説明】
【００６５】
１  パチンコ機（遊技機）、３  本体枠（枠）、３０  遊技盤、
２５０  払出制御回路、３００  電源ユニット、
３０８  オンオフ操作ボタン（電源スイッチの操作部）、
３７０  スライドレバー、４００  払出制御ユニット（取付対象ユニット）、
３７３  上側規制体（カバー部）、３８７  上係合溝（係合溝）、
３９５  下係合溝（係合溝）、４０５  上係合片（係合片）、
４０６  下係合片(係合片）、５００  取付装置。
【図１】
0006662688.tif 000002
【図２】
0006662688.tif 000003
【図３】
0006662688.tif 000004
【図４】
0006662688.tif 000005
【図５】
0006662688.tif 000006
【図６】
0006662688.tif 000007
【図７】
0006662688.tif 000008
【図８】
0006662688.tif 000009
【図９】
0006662688.tif 000010
【図１０】
0006662688.tif 000011
【図１１】
0006662688.tif 000012